(57)【要約】      （修正有）【課題】ドレッシングボードとツルーイングボードを交換することなく，切削ブレードの目立てと外形修正を行うことができ，かつドレッシング用及びツルーイング用の表面積を広く確保することが可能なドレッシング・ツルーイングボードを提供する。【解決手段】切削ブレードの目立てを行うためのドレッシング部と，切削ブレードの外形を修正するためのツルーイング部とが積層された積層構造を有し，切削ブレードが切り込まれる側である上側をドレッシング部３１，下側をツルーイング部３２にして載置されることを特徴とするドレッシング・ツルーイングボード３０が提供される。これにより，１つのドレッシング・ツルーイングボードを用いて，ドレッシング部による目立てと，ツルーイング部による外形修正の双方を実行できる。また，ドレッシング部とツルーイング部とが積層されているので，ドレッシング部とツルーイング部の双方の表面積を広く確保できる。【選択図】図３
2007203429.tif 000002
【特許請求の範囲】
【請求項１】
切削ブレードの目立てを行うためのドレッシング部と，前記切削ブレードの外形を修正するためのツルーイング部とが積層された積層構造を有し，前記切削ブレードが切り込まれる側である上側を前記ドレッシング部，下側を前記ツルーイング部にして載置されることを特徴とする，ドレッシング・ツルーイングボード。
【請求項２】
前記ドレッシング部は，砥粒を結合材で結合したものであり，
前記ツルーイング部は，金属板上に電着により単層の砥粒層を形成したもの，金属粉末と砥粒との混合物を焼結したもの，或いは，磁器質結合材と砥粒との混合物を焼結したもののいずれかであることを特徴とする，請求項１に記載のドレッシング・ツルーイングボード。
【請求項３】
フレームに貼り付けられた接着シート上に設置されることを特徴とする，請求項１または２に記載のドレッシング・ツルーイングボード。
【請求項４】
複数の前記切削ブレードが同軸上に並列して配設されたマルチブレードの目立て及び外形修正を行うために用いられることを特徴とする，請求項１〜３のいずれかに記載のドレッシング・ツルーイングボード。
【請求項５】
請求項１〜４のいずれかに記載のドレッシング・ツルーイングボードを用いて，前記切削ブレードの目立て及び外形修正を行うドレッシング・ツルーイング方法であって：
前記切削ブレードを回転させながら，前記ドレッシング・ツルーイングボードの前記ドレッシング部側から前記ツルーイング部の表面に接触する位置まで切り込ませて，前記ツルーイング部との接触により前記切削ブレードの外周を研削することによって，前記切削ブレードの外形を修正するツルーイング工程と；
前記切削ブレードを回転させながら，前記ドレッシング・ツルーイングボードの前記ドレッシング部側から前記ツルーイング部に達しない位置まで切り込ませて，前記切削ブレードにより前記ドレッシング部を切削することによって，前記切削ブレードの目立てを行うドレッシング工程と；
を含むことを特徴とする，ドレッシング・ツルーイング方法。
【請求項６】
請求項１〜４のいずれかに記載のドレッシング・ツルーイングボードを用いて，前記切削ブレードの目立て及び外形の修正を行うドレッシング・ツルーイング方法であって：
前記切削ブレードを回転させながら，前記ドレッシング・ツルーイングボードの前記ドレッシング部側から前記ツルーイング部の表面に接触する位置まで切り込ませ，前記ツルーイング部との接触により前記切削ブレードの外周を研削することによって，前記切削ブレードの外形を修正するツルーイング工程と；
前記ツルーイング工程に連続して，前記ツルーイング工程で切り込ませた前記切削ブレードの回転中心の高さ位置を維持して，前記ツルーイング工程により外形が修正された前記切削ブレードで前記ドレッシング部を切削することによって，前記切削ブレードの目立てを行うドレッシング工程と；
を含むことを特徴とする，ドレッシング・ツルーイング方法。
【発明の詳細な説明】
【技術分野】
【０００１】
本発明は，切削ブレードの目立て及び外形修正を行うためのドレッシング・ツルーイングボード，及びドレッシング・ツルーイング方法に関する。
【背景技術】
【０００２】
半導体基板や電子部品等の被加工物を切削して複数チップに分割するために，ダイシング装置等の切削装置が用いられている。この切削装置は，一般的に，ダイヤモンド砥粒等からなる極薄の回転砥石である切削ブレードと，切削ブレードが装着されるスピンドルと，被加工物を吸着保持するチャックテーブルとを備えている。かかる切削装置は，スピンドルにより高速回転させた切削ブレードを，チャックテーブルに保持された被加工物に切り込ませながら，チャックテーブルを切削方向に切削送りして，被加工物に格子状に配された切削ライン（ストリート）を切削する。
【０００３】
このような切削加工を続けると，切削ブレードに目つぶれが生じて切削性能が低下してしまうので，切削ブレードの目立て（ドレッシング）を行って切削性能を回復させる必要がある。そこで，被加工物の切削途中や，次の被加工物の切削開始前などに，切削ブレードのドレッシングを行われる。このドレッシングは，例えば，グリーンカーバイト，アランダム系の砥粒をレジンボンド等の結合材で板状に固めたドレッシングボードをチャックテーブルに載置し，このドレッシングボードを切削ブレードで切削することにより行われる（例えば特許文献１参照。）。
【０００４】
また，個々の切削ブレードは品質に差があるため完全な真円形状でない場合もあり，また，切削ブレードをスピンドルに装着したときに，切削ブレードの回転中心とスピンドルの軸芯とが完全に一致しておらず偏心している場合もある。従って，切削ブレードを交換した後には，上記ドレッシングだけでなく，切削ブレードの中心位置とスピンドルの軸芯とを一致させるために，切削ブレードの外形を修正する真円出し（ツルーイング）が行われる。このツルーイングを行うときには，目立て用のドレッサーボードに代えて，外形修正用のツルーイングボードをチャックテーブルに載置し，このツルーイングボードに対して切削ブレードの外周を作用させることで，切削ブレードの外周を研削して外形を修正していた。
【０００５】
【特許文献１】特開２０００−４９１２０号公報
【特許文献２】特公平３−３５０６５号公報
【発明の開示】
【発明が解決しようとする課題】
【０００６】
ところが，新しい切削ブレードに交換したときには，ツルーイングを行った後にドレッシングを連続的に行う必要があるため，ドレッシングボードをツルーイングボードに交換するなど，オペレータに大きな作業負担がかかってしまうという問題があった。この問題を解決するためには，特許文献２に記載のように，ドレッシング用の一般研削砥石とツルーイング用の鋼材とが交互に並列配置された複合研削砥石を用いて，ドレッシングとツルーイングをほぼ同時に行うことが考えられる。しかし，かかる特許文献２に記載の複合研削砥石では，ドレッシングに用いられる部分（即ち，一般研削砥石）の表面積と，ツルーイングに用いられる部分（即ち，鋼材）の表面積が，それぞれ全体表面積の半分になってしまい，ドレッシング用及びツルーイング用の有効表面積が狭いという問題があった。
【０００７】
また，従来のドレッシングボードとツルーイングボードは，取り扱いを簡単にするために，リングフレームに貼り付けられた接着シート上に載置して使用される場合が多い。この場合，ドレッシングボードとツルーイングボードを１つの接着シート上に並列して配置できるほど，面積的に余裕がないという問題があった。
【０００８】
さらに，複数の切削ブレードが並列配置されたマルチブレードを使用する場合には，更に大きな表面積のドレッシングボード及びツルーイングボードを必要とするため，ドレッシング及びツルーイングを行うことが，より一層困難になってしまうという問題があった。
【０００９】
そこで，本発明は，このような問題に鑑みてなされたもので，その目的は，ドレッシングボードとツルーイングボードを交換することなく，切削ブレードの目立てと外形修正を行うことができ，かつドレッシング用及びツルーイング用の表面積を広く確保することが可能な，新規かつ改良されたドレッシング・ツルーイングボード，及びこれを用いたドレッシング・ツルーイング方法を提供することにある。
【課題を解決するための手段】
【００１０】
上記課題を解決するために，本発明のある観点によれば，切削ブレードの目立てを行うためのドレッシング部と，切削ブレードの外形を修正するためのツルーイング部とが積層された積層構造を有し，切削ブレードが切り込まれる側である上側をドレッシング部，下側をツルーイング部にして載置されることを特徴とする，ドレッシング・ツルーイングボードが提供される。
【００１１】
かかる構成により，１つのドレッシング・ツルーイングボードにおいて，ドレッシング部により切削ブレードの目立てを実行でき，ツルーイング部により切削ブレードの外形修正を実行できる。このため，ドレッシングボードとツルーイングボードを交換することなく，切削ブレードの目立てと外形修正を行うことができる。また，ドレッシング部とツルーイング部とが積層されているので，ドレッシング部とツルーイング部の双方の表面積を広く確保することができる。さらに，切削ブレードを目立て及び外形修正するに際し，上側をドレッシング部，下側をツルーイング部にして載置されるため，ドレッシング部側から切削ブレードが切り込まれるので，ツルーイング部側から切り込ませる場合と比べて，切削ブレードの外形修正及び目立ての精度を向上できる。
【００１２】
また，上記ドレッシング部は，砥粒を結合材で結合したものであり，上記ツルーイング部は，金属板上に電着により単層の砥粒層を形成したもの，金属粉末と砥粒との混合物を焼結したもの，或いは，磁器質結合材と砥粒との混合物を焼結したもののいずれかであるようにしてもよい。これにより，ドレッシング部による目立てと，ツルーイング部による外形修正を好適に実行できる。
【００１３】
また，上記ドレッシング・ツルーイングボードは，フレームに貼り付けられた接着シート上に設置されるようにしてもよい。これにより，ドレッシング・ツルーイングボードの取り扱いが便利になる。また，フレームによってドレッシング・ツルーイングボードの大きさが制限されたとしても，ドレッシング・ツルーイングボードは積層型であるので，ドレッシング部及びツルーイング部の双方の表面積を十分に確保できる。
【００１４】
また，上記ドレッシング・ツルーイングボードは，複数の切削ブレードが同軸上に並列して配設されたマルチブレードの目立て及び外形修正を行うために用いられるようにしてもよい。ドレッシング・ツルーイングボードは積層型であるので，ドレッシング部及びツルーイング部の双方の表面積を十分に確保でき，マルチブレードの目立て及び外形修正にも対応可能である。
【００１５】
また，上記課題を解決するために，本発明の別の観点によれば，上述したドレッシング・ツルーイングボードを用いて，切削ブレードの目立て及び外形修正を行うドレッシング・ツルーイング方法が提供される。このドレッシング・ツルーイング方法は，切削ブレードを回転させながら，ドレッシング・ツルーイングボードのドレッシング部側からツルーイング部の表面に接触する位置まで切り込ませて，ツルーイング部との接触により切削ブレードの外周を研削することによって，切削ブレードの外形を修正するツルーイング工程と；切削ブレードを回転させながら，ドレッシング・ツルーイングボードのドレッシング部側からツルーイング部に達しない位置まで切り込ませて，切削ブレードによりドレッシング部を切削することによって，切削ブレードの目立てを行うドレッシング工程と；を含むことを特徴とする。かかる構成により，上記ドレッシング・ツルーイングボードを用いて，切削ブレードの目立て及び外形修正を好適に実行できる。
【００１６】
また，上記課題を解決するために，本発明の別の観点によれば，上述したドレッシング・ツルーイングボードを用いて，切削ブレードの目立て及び外形修正を行うドレッシング・ツルーイング方法が提供される。このドレッシング・ツルーイング方法は，切削ブレードを回転させながら，ドレッシング・ツルーイングボードのドレッシング部側からツルーイング部の表面に接触する位置まで切り込ませ，ツルーイング部との接触により切削ブレードの外周を研削することによって，切削ブレードの外形を修正するツルーイング工程と；ツルーイング工程に連続して，ツルーイング工程で切り込ませた切削ブレードの回転中心の高さ位置を維持して，ツルーイング工程により外形が修正された切削ブレードでドレッシング部を切削することによって，切削ブレードの目立てを行うドレッシング工程と；を含むことを特徴とする。かかる構成により，上記ドレッシング・ツルーイングボードを用いて，切削ブレードの目立て及び外形修正を好適に実行できる。
【発明の効果】
【００１７】
以上説明したように，本発明によれば，ドレッシングボードとツルーイングボードを交換することなく，切削ブレードの目立てと外形修正を行うことができる。さらに，１つのドレッシング・ツルーイングボードにおいて，ドレッシング用及びツルーイング用の表面積をそれぞれ広く確保することができる。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
まず，図１に基づいて，本発明の一実施形態にかかる切削装置の一例であるダイシング装置１０の全体構成について説明する。なお，図１は，本実施形態にかかるダイシング装置１０を示す全体斜視図である。
【００２０】
図１に示すように，ダイシング装置１０は，例えば，被加工物１２を保持する保持手段の一例であるチャックテーブル１５と，被加工物１２を位置合わせするためのアライメント手段１７と，被加工物１２を切削加工する切削ユニット２０と，切削ユニット移動機構（図示せず。）と，チャックテーブル移動機構（図示せず。）とを主に備える。
【００２１】
被加工物１２は，例えば，複数の半導体回路が形成された半導体ウェハや，ＣＣＤやＣ−ＭＯＳ等の撮像素子が複数形成された電子部品用基板などである。この被加工物１２は，例えば，接着テープの一例であるウェハテープ１３を介して，リング状のフレーム１４に支持された状態で，チャックテーブル１５上に載置される。
【００２２】
チャックテーブル１５は，例えば，その上面が略平坦な円盤状のテーブルであり，その上面に真空チャック（図示せず。）を具備している。チャックテーブル１５は，この真空チャック上に載置された被加工物１２を真空吸着して安定的に保持する。また，このチャックテーブル１５は，水平面内で回転可能に構成されている。
【００２３】
アライメント手段１７は，被加工物１２表面を撮像するための顕微鏡及びＣＣＤカメラ等からなる撮像部と，撮像された画像に基づきパターンマッチング等の画像処理を行う画像処理部などから構成される。
【００２４】
切削ユニット２０は，スピンドルの先端部に装着された切削ブレード２２を備えている。この切削ユニット２０は，スピンドルにより切削ブレード２２を高速回転させながら被加工物１２に切り込ませることにより，被加工物１２を切削して極薄のカーフ（切溝）を形成する。
【００２５】
切削ブレード２２は，例えば，略円盤形状を有する極薄（例えば３０〜３００μｍ）の切削砥石である。この切削ブレード２２としては，例えば，アルミニウム等によって形成された基台の側面に，ダイヤモンド，ＣＢＮ（Ｃｕｂｉｃ  Ｂｏｒｏｎ  Ｎｉｔｒｉｄｅ）等の砥粒をニッケル等の金属メッキで電着させた電鋳ブレードや，上記砥粒をレジンボンドで結合して円形に成形したレジノイドブレード，上記砥粒を金属ボンドで焼き固めたメタルブレード，などがある。また，かかる切削ブレード２２は，切り刃部とマウント部とが一体化された所謂ハブブレードとして構成されてもよいし，或いは，リング状の切り刃である所謂ワッシャーブレードを用いて，その両側をフランジで挟持する構成であってもよい。
【００２６】
切削ユニット移動機構は，切削ユニット２０をＹ軸方向に水平移動させる。このＹ軸方向は，切削方向（Ｘ軸方向）に対して直交する水平方向であり，切削ユニット２０内に延設されたスピンドルの軸方向と一致する。切削ユニット２０をＹ軸方向に移動させることにより，切削ブレード２２の刃先を被加工物１２の切削位置（切削ライン）に位置合わせすることができる。さらに，この切削ユニット移動機構は，切削ユニット２０をＺ軸方向（垂直方向）にも上下動させる。これにより，被加工物１２に対する切削ブレード２２の切り込み深さを調整することができる。
【００２７】
チャックテーブル移動機構は，チャックテーブル１５を切削方向（Ｘ軸方向）に切削送りする。これにより，切削加工時には，被加工物１２を保持したチャックテーブル１５を切削方向（Ｘ軸方向）に切削送りして，被加工物１２に対し切削ブレード２２の刃先を直線的な軌跡で作用させることができる。
【００２８】
次に，上記構成のダイシング装置１０の動作について説明する。ダイシング装置１０により被加工物１２を切削する場合には，まず，チャックテーブル１５上に被加工物１２を吸着保持させる。次いで，当該チャックテーブル１５をＸ軸方向に移動させてアライメント手段１７の直下に位置づけた後に，アライメント手段１７によるパターンマッチング等の処理により被加工物１２の切削ラインを検出し，切削ラインと切削ブレード２２とのＹ軸方向の位置合わせ（アライメント）を行う。その後，高速回転する切削ブレード２２を下降させて，所定の切り込み深さで被加工物１２に切り込ませた状態で，チャックテーブル１５をＸ軸方向に所定の送り速度で移動させることにより，被加工物１２を切削ラインに沿って切削する。さらに，切削ユニット２０をＹ軸方向に切削ラインの間隔だけ割り出し送りして，次の切削ラインが切削され，かかる動作を繰り返すことにより，同一方向に延びる複数の切削ラインが順次切削される。その後，チャックテーブルを９０度回転させて，上記と別の方向に延びる複数の切削ラインが同様にして切削される。このようにして，ダイシング装置１０は，被加工物１２に格子状に配置された切削ラインに沿ってダイシング加工して，被加工物１２を複数のチップに分割することができる。
【００２９】
ところで，このような切削加工を継続すると，上述したように，切削ブレード２２が目つぶれして切削性能が低下するため，定期的に切削ブレード２２の目立て（ドレッシング）を行う必要がある。
【００３０】
また，上記切削加工を繰り返して切削ブレード２２が消耗した場合には，切削ブレード２２が新しいものに交換される。このように切削ブレード２２を交換した後には，上記ドレッシングだけでなく，切削ブレード２２の中心位置とスピンドルの軸芯とを一致させるために，切削ブレード２２の外形を修正する真円出し（ツルーイング）を行う必要がある。また，上記切削加工を継続すると，切削ブレード２２の外周が先細りとなり，この状態で切削を続行すると，チップの側面の形状精度を悪化させることになる。従って，この場合にも，先細りした切削ブレード２２の外形を修正するため，定期的にツルーイングを行う必要がある。
【００３１】
そこで，本実施形態にかかるダイシング装置１０では，図１に示すように，チャックテーブル１５上にドレッシング・ツルーイングボード３０を保持させて，上記のような切削ブレード２２のドレッシング及びツルーイングの双方を実行できるようになっている。
【００３２】
ここで，図２及び図３を参照して，本実施形態にかかるドレッシング・ツルーイングボードの構成について詳細に説明する。なお，図２は，本実施形態にかかるドレッシング・ツルーイングボード３０を示す側面図であり，図３は，本実施形態にかかるドレッシング・ツルーイングボード３０を接着シート３３に載置する状態を示す斜視図である。
【００３３】
図２及び図３に示すように，ドレッシング・ツルーイングボード３０は，上側に切削ブレード２２の目立て（ドレッシング）を行うためのドレッシング部３１と，下側に切削ブレード２２の外形修正（ツルーイング）を行うためのツルーイング部３２とが積層された積層構造を有する。
【００３４】
ドレッシング・ツルーイングボード３０の全体形状は，図示の例では，矩形平板形状であるが，かかる例に限定されず，例えば，円板形状や角柱形状など任意の形状であってもよい。ドレッシング部３１は，厚さが例えば０．１〜０．５ｍｍの平板形状であり，ツルーイング部３２は，厚さが例えば０．１〜２ｍｍの平板形状である。このように，硬質のツルーイング部３２が，軟質のドレッシング部３１よりも厚くなるように成形されている。これにより，ドレッシング・ツルーイングボード３０の強度を確保できるとともに，切削ブレード２２をドレッシング部３１側から切り込ませたときに，切削ブレード２２がドレッシング部３１を貫通してツルーイング部３２の表面にまで達しやすくなる。しかし，かかる例に限定されず，ツルーイング部３２がドレッシング部３１よりも薄くなるように形成してもよい。また，図示のドレッシング部３１とツルーイング部３２とは，双方の表面積を極力大きくするため，同一の平面形状（即ち，同一の大きさの矩形状）を有しているが，かかる例に限定されず，相互に異なる平面形状としてもよいし，いずれか一方が他方より大きくなるようにすることもできる。
【００３５】
ドレッシング部３１は，例えば，結合材（例えば，樹脂又はビトリファイド等）と砥粒（例えば，超砥粒，アルミナ，カーボン，又はシリコンカーバイド等）を混合したものであり，該結合材により該砥粒を結合して形成される。より具体的には，ドレッシング部３１は，例えば，炭化珪素（ＳｉＣ）からなるグリーンカーボランダム（ＧＣ）砥粒を，結合材としての樹脂中に混合して厚さが例えば０．１〜０．５ｍｍ程度の矩形板状に成形した後に，焼成して形成される。また，このドレッシング部３１の製造時には，上記結合材と砥粒との混合物に，添加剤として各種のフィラーを添加してもよい。
【００３６】
上記のようにして形成されるドレッシング部３１は，ツルーイング部３２と比較して軟質であり，切削ブレード２２を比較的容易に切り込ませることができるようになっている。
【００３７】
ツルーイング部３２は，例えば，（ａ）金属板上に電着により単層の砥粒層を形成したもの，（ｂ）金属粉末と砥粒との混合物を高温高圧下で焼結したもの，或いは，（ｃ）磁器質結合材と砥粒との混合物を高温高圧下で焼結したものなどで形成される。
【００３８】
より具体的には，（ａ）のタイプのツルーイング部３２は，例えば，厚さが例えば０．１〜２ｍｍ程度の矩形状の鉄板上に，アルミナ（Ａｌ２Ｏ３）からなるホワイトアランダム（ＷＡ）砥粒をニッケルメッキで電着して，単層の砥粒層を積層することで形成される。また，（ｂ）のタイプのツルーイング部３２は，例えば，超砥粒，アルミナ又はシリコンカーバイド等の砥粒を，銅及び／又はニッケル等の金属粉末中に混合したものを，厚さが例えば０．１〜２ｍｍ程度の矩形板状に成形した後に，高温高圧下で焼結（メタル焼結）して形成される。また，（ｃ）のタイプのツルーイング部３２は，例えば，超砥粒，アルミナ又はシリコンカーバイド等の砥粒を，ビトリファイド等の磁器質結合材中に混合したものを，厚さが例えば０．１〜２ｍｍ程度の矩形板状に成形した後に，高温高圧下で焼結して形成される。また，このツルーイング部３２の製造時には，上記結合材と砥粒との混合物に，添加剤として各種のフィラーを添加してもよい。
【００３９】
上記のようにして形成されるツルーイング部３２は，ドレッシング部３１と比較して硬質であり，切削ブレード２２により切削されにくい。このため，ツルーイング部３２の表面に切削ブレード２２の外周（刃先）を作用させることにより，ツルーイング部３２により切削ブレード２２の外周を研削して整形することができる。
【００４０】
以上のようなドレッシング部３１とツルーイング部３２とを積層して，例えば接着剤或いは電着等により相互に接合することで，二層の積層構造を有するドレッシング・ツルーイングボード３０が製造される。このようにドレッシング・ツルーイングボード３０を積層型とすることで，ドレッシング・ツルーイングボード３０全体の大きさが制限されている場合おいても，ドレッシング部３１の表面積とツルーイング部３２の表面積をそれぞれ最大限確保することができる。
【００４１】
また，このようなドレッシング・ツルーイングボード３０は，オペレータによる持ち運びやダイシング装置１０への設置といった取り扱いを簡単にするために，図３に示すように，リングフレーム３４に貼り付けられた接着シート３３上に接着される。このとき，ドレッシング・ツルーイングボード３０は，接着シート３３上に，ドレッシング部３１を上側，ツルーイング部３２を下側にした状態で載置される。これにより，図１に示したように，リングフレーム３４に接着シート３３を介して支持された状態のドレッシング・ツルーイングボード３０が，チャックテーブル１５上に保持されたときに，ドレッシング部３１が上向きの状態となる。よって，チャックテーブル１５の上方に配置される切削ブレード２２を，ドレッシング・ツルーイングボード３０に対して，ドレッシング部３１側から切り込ませることができるようになる。
【００４２】
このようにして，ドレッシング・ツルーイングボード３０は，切削ブレード２２を目立て及び外形修正するに際し，切削ブレード２２がドレッシング部３１側から切り込まれるように配置されるが，この理由について以下に説明する。
【００４３】
本願発明者らは，切削ブレード２２の目立て及び外形修正時に，ツルーイング部側から切削ブレード２２が切り込まれるように，上側がツルーイング部，下側がドレッシング部となるように配置される積層型ドレッシング・ツルーイングボードについても検討を加えた。しかし，該ボードは，硬質のツルーイング部を貫通するように切削ブレードを切り込ませてツルーイングすることを前提とするものであり，切り込み深さを一定に維持することは難しく，精度の高い真円出しを行うことができないという問題があることを見出した。
【００４４】
そこで，本願発明者らは，上記のように積層型ドレッシング・ツルーイングボード３０を上側がドレッシング部３１，下側がツルーイング部３２となるように配置して，ドレッシング部３１側から切削ブレード２２を切り込ませる構成を採用した。これによって，ツルーイング時には，切削ブレード２２をドレッシング・ツルーイングボード３０に対して一定の切り込み深さで安定的に切り込ませることができるので，ツルーイングを高精度で実行可能となる。
【００４５】
次に，以上のようなドレッシング・ツルーイングボード３０を用いて，ダイシング装置１０の切削ブレード２２の目立て及び外形修正を行うドレッシング・ツルーイング方法について説明する。
【００４６】
まず，図４及び図５を参照して，ドレッシング・ツルーイングボード３０を用いたドレッシング・ツルーイング方法の一実施形態について説明する。図４は，本実施形態にかかるドレッシング・ツルーイング方法を示すフローチャートであり，図５は，本実施形態にかかるドレッシング・ツルーイング方法を示す工程説明図である。
【００４７】
図４及び図５に示すドレッシング・ツルーイング方法は，１つのドレッシング・ツルーイングボード３０を用いて，ツルーイング工程とドレッシング工程とをそれぞれ独立した別工程として行う方法である。
【００４８】
具体的には，図４に示すように，まず，準備工程（Ｓ１０）において，例えば切削ブレード２２の交換後に，ダイシング装置１０のチャックテーブル１５上に，リングフレーム３４に接着テープ３４を介して支持された状態のドレッシング・ツルーイングボード３０を載置して，吸着保持する。次いで，ドレッシング・ツルーイングボード３０を保持したチャックテーブル１５をＸ軸方向に移動させて，アライメント手段１７の直下に位置づける。そして，アライメント手段１７によって，例えば，ドレッシング・ツルーイングボード３０の縁辺を検出して，この縁辺とＸ軸方向が一致するようにチャックテーブル１５を回転させて，ドレッシング・ツルーイングボード３０の位置合わせ（アライメント）を行う。その後，チャックテーブル１５をＸ軸方向に移動させて，ドレッシング・ツルーイングボード３０を切削ブレード２２の下方付近の切削領域に位置づけ，切削ブレード２２を，ドレッシング・ツルーイングボード３０を切削可能な位置までＹ軸方向に割り出し送りする。
【００４９】
次いで，第１の切削ブレード下降工程（Ｓ１１）では，切削ブレード２２のツルーイングを行うために，図５Ａ（ａ）に示すように，切削ブレード２２をＺ軸方向に下降させて，切削ブレード２２を所定の第１高さに位置づける。この所定の第１高さは，後続のツルーイング工程において切削ブレード２２をドレッシング・ツルーイングボード３０にドレッシング部３１側から切り込ませたときに，切削ブレード２２の刃先２２ａがツルーイング部３２の表面３２ａ（ツルーイング部３２の上面であって，ドレッシング部３１との接合面）に接触する高さである。
【００５０】
その後，ツルーイング工程（Ｓ１２）では，上記所定の第１高さに位置づけられた切削ブレード２２を，矢印で示す向きに例えば２０，０００ｒｐｍで高速回転させながら，ドレッシング・ツルーイングボード３０を保持したチャックテーブル１５を，Ｘ軸方向に例えば１ｍｍ／ｓの切削送り速度で移動させる。これによって，図５Ａ（ｂ）に示すように，高速回転する切削ブレード２２を，ドレッシング・ツルーイングボード３０のドレッシング部３１側からツルーイング部３２の表面３２ａに接触する位置まで切り込ませて，切削ブレード２２により軟質のドレッシング部３１をＸ軸方向に切断しつつ，切削ブレード２２の刃先２２ａを硬質のツルーイング部３２に接触させることによって切削ブレード２２の外周が研削される。この結果，ブレード品質の差や取り付け誤差等によって歪んだ切削ブレード２２の外形を修正して真円出しすることができる。なお，このツルーイング工程は，ドレッシング・ツルーイングボード３０の複数のラインを切削する複数パスで行ってもよいし，１本のラインのみを切削するワンパスで行ってもよい。
【００５１】
さらに，切削ブレード上昇工程（Ｓ１３）では，図５Ａ（ｃ）に示すように，上記ツルーイングされた切削ブレード２２をＺ軸方向に上昇させて，ドレッシング・ツルーイングボード３０に切り込まない位置まで退避させる。
【００５２】
次いで，第２の切削ブレード下降工程（Ｓ１４）では，切削ブレード２２のドレッシングを行うために，図５Ｂ（ｄ）に示すように，再度，切削ブレード２２をＺ軸方向に下降させて，切削ブレード２２を所定の第２高さに位置づける。この所定の第２高さは，後続のドレッシング工程において切削ブレード２２をドレッシング部３１側からドレッシング・ツルーイングボード３０に切り込ませたときに，切削ブレード２２の刃先２２ａが，ツルーイング部３２の表面３２ａにまで達しないでドレッシング部３１内部に位置する高さであり，上記第１高さより高い位置である。
【００５３】
その後，ドレッシング工程（Ｓ１５）では，上記所定の第２高さに位置づけられた切削ブレード２２を，矢印で示す向きに例えば２０，０００ｒｐｍで高速回転させながら，ドレッシング・ツルーイングボード３０を保持したチャックテーブル１５を，Ｘ軸方向に例えば１ｍｍ／ｓの切削送り速度で移動させる。これによって，図５Ｂ（ｅ）に示すように，高速回転する切削ブレード２２を，ドレッシング・ツルーイングボード３０のドレッシング部３１側からツルーイング部３２の表面３２ａに達しない位置まで切り込ませて，切削ブレード２２により軟質のドレッシング部３１をＸ軸方向に切削することで，切削ブレード２２の目立てを行うことができる）。なお，このドレッシング工程は，ドレッシング・ツルーイングボード３０の複数のラインを切削する複数パスで行ってもよいし，１本のラインのみを切削するワンパスで行ってもよい。
【００５４】
以上までで，本発明の一実施形態にかかるドレッシング・ツルーイング方法が終了する。上記ドレッシング・ツルーイングボード方法では，ツルーイング工程とドレッシング工程を別工程として行うので，切削ブレード２２のツルーイングとドレッシングを高精度で実行できる。
【００５５】
次に，図６及び図７を参照して，ドレッシング・ツルーイングボード３０を用いたドレッシング・ツルーイング方法の他の実施形態について説明する。図６は，他の実施形態にかかるドレッシング・ツルーイング方法を示すフローチャートであり，図７は，他の実施形態にかかるドレッシング・ツルーイング方法を示す工程説明図である。
【００５６】
図６及び図７に示すドレッシング・ツルーイング方法は，切削ブレード２２の回転中心の高さ位置を変えずに，ツルーイング工程に連続してドレッシング工程を行う方法である。
【００５７】
具体的には，図６に示すように，まず，準備工程（Ｓ２０）が行われる。この準備工程（Ｓ２０）は，上述した図４の準備工程（Ｓ１０）と略同一であるので，詳細説明は省略する。
【００５８】
次いで，切削ブレード下降工程（Ｓ２１）では，切削ブレード２２のツルーイング及びドレッシングを行うために，上記図５Ａ（ａ）で示したのと同様に，切削ブレード２２をＺ軸方向に下降させて，切削ブレード２２を所定の第１高さに位置づける。この所定の第１高さは，後続のツルーイング及びドレッシング工程において切削ブレード２２をドレッシング部３１側からドレッシング・ツルーイングボード３０に切り込ませたときに，切削ブレード２２の刃先２２ａがツルーイング部３２の表面３２ａに接触する高さである。
【００５９】
その後，ツルーイング及びドレッシング工程（Ｓ２２）では，上記所定の第１高さに位置づけられた切削ブレード２２を，矢印で示す向きに例えば２０，０００ｒｐｍで高速回転させながら，ドレッシング・ツルーイングボード３０を保持したチャックテーブル１５を，Ｘ軸方向に例えば１ｍｍ／ｓの切削送り速度で移動させる。これによって，図７（ａ）に示すように，高速回転する切削ブレード２２を，ドレッシング・ツルーイングボード３０のドレッシング部３１側からツルーイング部３２の表面３２ａに接触する位置まで切り込ませて，切削ブレード２２により軟質のドレッシング部３１をＸ軸方向に切削しつつ，切削ブレード２２の刃先２２ａを硬質のツルーイング部３２に接触させることによって切削ブレード２２の外周が研削される。この結果，切削ブレード２２の外形を修正して真円出しすることができる。
【００６０】
このようなツルーイングを行うと，ツルーイング部３２により切削ブレード２２の外周が研削されて，切削ブレード２２の外径が次第に小さくなるので，図７（ｂ）に示すように，切削ブレード２２の刃先２２ａがツルーイング部３２の表面３２ａに接触しないようになる。従って，切削ブレード２２の回転中心の高さ位置を上記所定の第１高さに固定したままの状態で，切削ブレード２２によるドレッシング・ツルーイングボード３０の切削を複数ライン繰り返すことで，ツルーイング部３２に対して非接触状態となった切削ブレード２２によりドレッシング部３１を切削して，目立てを行うことができる。このように，本実施形態では，切削ブレード２２の回転中心の高さ位置を変えることなく，ドレッシング・ツルーイングボード３０を継続して切削することで，上記ツルーイング工程（図７（ａ））に連続して，ドレッシング工程（図７（ｂ））を実行できる。
【００６１】
以上までで，本発明の他の実施形態にかかるドレッシング・ツルーイング方法が終了する。このドレッシング・ツルーイングボード方法では，ツルーイング工程とドレッシング工程を連続して行うので，作業時間が少なくて済み，切削ブレード２２の移動制御が容易であるという利点がある。
【００６２】
次に，図８を参照して，上記実施形態にかかるドレッシング・ツルーイングボード３０を用いて，マルチブレード２５をツルーイング及びドレッシングする方法について説明する。なお，図８は，本実施形態にかかるドレッシング・ツルーイングボード３０を用いて，マルチブレード２５をツルーイング及びドレッシングする状態を示す斜視図である。
【００６３】
図８に示すように，マルチブレード２５は，１つのスピンドル２４（回転軸）に複数の切削ブレード２２が並列して配設されたブレードである。かかるマルチブレード２５は，被加工物１２の複数の切削ラインを同時に切削でき，切削効率に優れる。
【００６４】
このようなマルチブレード２５は，スピンドル２４の軸方向に大きい幅を有するので，当該マルチブレード２５をツルーイング及びドレッシングするためには，マルチブレード２５の軸方向の幅よりも大きく，かつ表面積が広いツルーイングボードとドレッシングボードを用いる必要がある。この点，本実施形態にかかるドレッシング・ツルーイングボード３０は，ドレッシング部３１とツルーイング部３２とが上下に積層された積層構造であるので，ドレッシング部３１の表面積とツルーイング部３２の表面積をそれぞれ広くとることが可能である。よって，１つのドレッシング・ツルーイングボード３０を用いて，マルチブレード２５が有する複数の切削ブレード２２の全てを，同時にドレッシング或いはツルーイングすることができる。なお，このマルチブレード２５のツルーイング・ドレッシング方法は，上記図４〜図７で説明した方法と同様な手順で実行できる。
【００６５】
以上，本実施形態にかかるドレッシング・ツルーイングボード３０及びこれを用いたドレッシング・ツルーイング方法について詳細に説明した。本実施形態にかかるドレッシング・ツルーイングボード３０は，切削ブレード２２の目立てを行うドレッシング部３１と，外径修正を行うツルーイング部３２とを具備しているので，切削ブレード２２の交換時などに，１つのドレッシング・ツルーイングボード３０で切削ブレード２２のドレッシングとツルーイングの双方を実行できる。従って，従来のようにドレッシングボードとツルーイングボードを交換する必要がないので，オペレータの手間を省略できる。
【００６６】
さらに，ドレッシング・ツルーイングボード３０は，ドレッシング部３１とツルーイング部３２とが積層された構造であるので，ドレッシング部３１の表面積及びツルーイング部３２の表面積を双方とも広く確保できる。従って，１つのドレッシング・ツルーイングボード３０を用いて，切削ブレード２２のドレッシング及びツルーイングを複数回或いは十分に実行できる。よって，ドレッシング・ツルーイングボード３０を長寿命化し，交換頻度を抑制できる。
【００６７】
また，ドレッシング・ツルーイングボード３０が，リングフレーム３４に貼り付けられた接着シート３３上に載置して使用される場合であっても，リングフレーム３４による大きさの制限の範囲内で，ドレッシング用の表面積とツルーイング用の表面積を最大限に確保できる。さらに，上記ドレッシング・ツルーイングボード３０は，表面積が広いので，マルチブレード２５のツルーイング及びドレッシングにも対応できる。
【００６８】
また，上記ドレッシング・ツルーイングボード３０は，切削ブレード２２を目立て及び外形修正するに際し，ドレッシング部３１側から切削ブレード２２が切り込まれるように配置される。これにより，ツルーイング時には，切削ブレード２２が，軟質のドレッシング部３１を容易に貫通して，ツルーイング部３２の表面３２ａに好適に接触して外形修正される。よって，切削ブレード２２の切り込み深さを一定に保つことができ，高精度でツルーイングすることができる。
【００６９】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００７０】
例えば，上述した実施形態では，切削装置としてダイシング装置１０の例を挙げて説明したが，本発明はかかる例に限定されない。例えば，スピンドルにより高速回転する切削ブレード２２を用いて被加工物１２を切削加工する装置であれば，例えば，ダイシング加工以外の切削加工を行う各種の切削装置であってもよい。
【００７１】
また，上記実施形態では，ドレッシング・ツルーイングボード３０は，取り扱いの便宜の観点から，リングフレーム３４に貼り付けられた接着シート３３上に設置された状態で，チャックテーブル１５上に保持されたが，本発明はかかる例に限定されない。例えば，リングフレーム３４及び接着シート３３を使用せずに，ドレッシング・ツルーイングボード３０をチャックテーブル１５上に直接的に保持するようにしてもよい。これにより，ドレッシング・ツルーイングボード３０のサイズを大きく（例えば半導体基板又は電子部品用基板等のサイズに）することができる。
【００７２】
また，上記実施形態では，ドレッシング・ツルーイングボード３０は，切削ブレード２２の交換後にドレッシング及びツルーイングを施すために使用されたが，本発明はかかる例に限定されない。例えば，切削加工を行った切削ブレード２２を交換する前に，先細りした切削ブレード２２の刃先２２ａを修正する等の目的で，ツルーイング及び／又はドレッシングを施すときなどにも使用できる。
【図面の簡単な説明】
【００７３】
【図１】本発明の一実施形態にかかるダイシング装置を示す全体斜視図である。
【図２】同実施形態にかかるドレッシング・ツルーイングボードを示す側面図である。
【図３】実施形態にかかるドレッシング・ツルーイングボードを接着シートに載置する状態を示す斜視図である。
【図４】同実施形態にかかるドレッシング・ツルーイング方法を示すフローチャートである。
【図５Ａ】同実施形態にかかるドレッシング・ツルーイング方法を示す工程説明図である。
【図５Ｂ】同実施形態にかかるドレッシング・ツルーイング方法を示す工程説明図である。
【図６】本発明の他の実施形態にかかるドレッシング・ツルーイング方法を示すフローチャートである。
【図７】同実施形態にかかるドレッシング・ツルーイング方法を示す工程説明図である。
【図８】本発明の一実施形態にかかるドレッシング・ツルーイングボードを用いて，マルチブレードをツルーイング及びドレッシングする状態を示す斜視図である。
【符号の説明】
【００７４】
１０      ダイシング装置
１２      被加工物
１５      チャックテーブル
１７      アライメント手段
２０      切削ユニット
２２      切削ブレード
２２ａ    切削ブレードの刃先
２４      スピンドル
２５      マルチブレード
３０      ドレッシング・ツルーイングボード
３１      ドレッシング部
３２      ツルーイング部
３２ａ    ツルーイング部の表面
【図１】
2007203429.tif 000003
【図２】
2007203429.tif 000004
【図３】
2007203429.tif 000005
【図４】
2007203429.tif 000006
【図５Ａ】
2007203429.tif 000007
【図５Ｂ】
2007203429.tif 000008
【図６】
2007203429.tif 000009
【図７】
2007203429.tif 000010
【図８】
2007203429.tif 000011